(57)【要約】【課題】  地盤に設置した後においても、基地局設備の無線機やアンテナなどを容易に増設することが可能な増設対応型電柱を提供する。【解決手段】  電柱本体１１と、アースボックス１２と、アース線１３とを備え、アースボックス１２が、アース線１３を接続するアース端子１２ｃとこのアース端子１２ｃに電気的に接続されている機器端子１２ｄとを有し、電柱本体１１の地上部１１ｂの側壁に配設されている。アース線１３が、電柱本体１１の軸方向に沿って配設され、その下端部１３ａが電柱本体１１の地中埋設部１１ｆに位置し、その上端部１３ｂがアースボックス１２のアース端子１２ｃに接続されている。【選択図】  図１
2008177073.tif 000002
【特許請求の範囲】
【請求項１】
電柱本体と、アースボックスと、アース線とを備え、
前記アースボックスが、前記アース線を接続するアース端子とこのアース端子に電気的に接続されている機器端子とを有し、前記電柱本体の地上部の側壁に配設され、
前記アース線が、前記電柱本体の軸方向に沿って配設され、その下端部が前記電柱本体の地中埋設部に位置し、その上端部が前記アースボックスのアース端子に接続されていることを特徴とする増設対応型電柱。
【請求項２】
前記電柱本体の上端部に、アンテナを取り付けるための取付スペースが確保されていることを特徴とする請求項１に記載の増設対応型電柱。
【請求項３】
前記電柱本体が、軸方向に沿った中空部を有し、
前記電柱本体の地上部の側壁に、前記中空部と連通する貫通孔が形成され、
前記アースボックスが、前記貫通孔の近傍に配設され、
前記アース線が、前記電柱本体の中空部内に配設され、その上端部が前記貫通孔を通って前記アースボックスのアース端子に接続されていることを特徴とする請求項１または２のいずれか１項に記載の増設対応型電柱。
【請求項４】
前記電柱本体の地上部の側壁で前記貫通孔の近傍に、前記中空部と連通する第２の貫通孔が形成され、前記電柱本体の上端部に、前記中空部と連通する第３の貫通孔が形成されていることを特徴とする請求項３に記載の増設対応型電柱。
【請求項５】
前記電柱本体に取り付けられる柱上変圧器から電力を受電して外部に配電する配電盤が、前記電柱本体の地上部に配設されていることを特徴とする請求項１〜４のいずれか１項に記載の増設対応型電柱。
【発明の詳細な説明】
【技術分野】
【０００１】
本発明は、電力線または通信線を添架している電柱（電力柱、通信柱）に関し、特に、基地局設備などを増設可能な増設対応型電柱に関する。
【背景技術】
【０００２】
電気設備の設置に伴い、接地工事を要する場合があり、この接地工事には、地盤を掘削して埋設穴を形成し、接地電極を地中に埋設する必要がある。そして、このような埋設工事を簡略化するための接地電極が知られている（例えば、特許文献１参照。）。この接地電極は、銅板を円筒状に折り曲げて、電柱の埋設部（下端部）周囲に装着したものであり、電柱を地盤に設置することで、接地電極が地中に埋設される。このため、接地電極を地中に埋設するための埋設工事を別途行う必要がない、というものである。
【特許文献１】特開２００５−７８８５５号公報
【発明の開示】
【発明が解決しようとする課題】
【０００３】
ところで、携帯電話通信などにおいて、通信（通話）が不可能あるいは困難となる不感地帯の対策として、既設の電柱に基地局設備を設置（増設）する場合がある。この基地局設備は、携帯電話機などの端末との間で無線通信を行い、端末と電話網との通信を中継する役割を有し、主として、アンテナと無線機（トランシーバ）とを備えている。そして、このような基地局設備を既設の電柱に設置するには、多大な労力と時間とを要していた。
【０００４】
すなわち、電柱に防護用の管を取り付け柱上変圧器と基地局設備の無線機とを電源線によって接続する。また、アース線を挿入した細長いパイプを電柱に沿って配設し、地盤を掘削してアース線の一端部を地中に埋設するとともに、他端部を無線機に接続して無線機を接地する。さらに、アンテナを取り付けるために、電柱にアームなどを取り付けて取付スペースを確保する必要があった。さらには、アンテナと無線機とを接続するために、電柱に防護用の管を取り付けて給電線を敷設し、アンテナと無線機とを接続する必要があった。そして、このような設置工事の必要性は、上記特許文献１に記載されているような接地電極を備えた電柱であっても同様であった。
【０００５】
そこで本発明は、地盤に設置した後においても、基地局設備の無線機やアンテナなどを容易に増設することが可能な増設対応型電柱を提供することを目的とする。
【課題を解決するための手段】
【０００６】
上記目的を達成するために請求項１に記載の発明は、電柱本体と、アースボックスと、アース線とを備え、前記アースボックスが、前記アース線を接続するアース端子とこのアース端子に電気的に接続されている機器端子とを有し、前記電柱本体の地上部の側壁に配設され、前記アース線が、前記電柱本体の軸方向に沿って配設され、その下端部が前記電柱本体の地中埋設部に位置し、その上端部が前記アースボックスのアース端子に接続されていることを特徴とする増設対応型電柱である。
（作用）
電柱本体の地中埋設部を地中に埋設すると、アース線の下端部も地中に埋設し、アース線が接地される。そして、例えば、基地局設備の無線機をアースボックスの近くに取り付け、無線機をアースボックスの機器端子に接続することで、無線機がアース端子およびアース線を介して接地される。
【０００７】
請求項２に記載の発明は、請求項１に記載の増設対応型電柱において、前記電柱本体の上端部に、アンテナを取り付けるための取付スペースが確保されていることを特徴としている。
【０００８】
請求項３に記載の発明は、請求項１または２のいずれか１項に記載の増設対応型電柱において、前記電柱本体が、軸方向に沿った中空部を有し、前記電柱本体の地上部の側壁に、前記中空部と連通する貫通孔が形成され、前記アースボックスが、前記貫通孔の近傍に配設され、前記アース線が、前記電柱本体の中空部内に配設され、その上端部が前記貫通孔を通って前記アースボックスのアース端子に接続されていることを特徴としている。
【０００９】
請求項４に記載の発明は、請求項３に記載の増設対応型電柱において、前記電柱本体の地上部の側壁で前記貫通孔の近傍に、前記中空部と連通する第２の貫通孔が形成され、前記電柱本体の上端部に、前記中空部と連通する第３の貫通孔が形成されていることを特徴としている。
（作用）
例えば、電柱本体の上端部の取付スペースに基地局設備のアンテナを取り付け、第２の貫通孔の近くに基地局設備の無線機を取り付ける。そして、電柱本体の中空部内に給電線を配設して、第２の貫通孔から給電線を無線機に接続し、第３の貫通孔から給電線をアンテナに接続することで、給電線を介して無線機とアンテナとが通信可能に接続される。
【００１０】
請求項５に記載の発明は、請求項１〜４のいずれか１項に記載の増設対応型電柱において、前記電柱本体に取り付けられる柱上変圧器から電力を受電して外部に配電する配電盤が、前記電柱本体の地上部に配設されていることを特徴としている。
【発明の効果】
【００１１】
請求項１に記載の発明によれば、電柱本体の地中埋設部を地中に埋設することで、つまり本増設対応型電柱を地盤に設置することで、アース線も接地される。そして、本増設対応型電柱を設置した後に基地局設備の無線機などを増設したい場合には、無線機をアースボックスの機器端子に接続することで、無線機などを容易に接地することができる。すなわち、従来のように、既設の電柱に対して、アース線を挿入した細長いパイプなどを電柱に沿って配設したり、埋設穴を新たに掘削してアース線の下端部を地中に埋設したりする必要がない。この結果、本電柱を地盤に設置した後においても、無線機などを容易に増設することができる。
【００１２】
請求項２に記載の発明によれば、電柱本体の上端部に取付スペースが確保されているため、本増設対応型電柱を地盤に設置した後に、基地局設備のアンテナなどを取り付ける場合であっても、取付スペースにアンテナを取り付けることができる。従って、従来のように、アンテナを取り付けるためのアームなどを電柱に取り付けるなどして取付スペースを確保する必要がなくなり、本電柱を地盤に設置した後においても、アンテナを容易に増設することができる。
【００１３】
請求項３に記載の発明によれば、アース線が電柱本体の中空部内に配設され、その上端部が貫通孔を通ってアースボックスのアース端子に接続されているため、アース線が電柱本体の側壁外に露出せず、電柱本体に設備・機器を容易、かつ整然と配設することが可能となる。また、アース線が露出しないため、アース線の損傷を抑制できる。
【００１４】
請求項４に記載の発明によれば、予め電柱本体に、第２の貫通孔と第３の貫通孔とが形成されているため、電柱本体に配設した無線機とアンテナなどを接続する際に、従来のように電柱に防護用の管を取り付けて給電線を敷設する必要がない。このため、本電柱を地盤に設置した後においても、無線機やアンテナなどを容易に増設することができる。また、従来のようにして給電線を敷設する場合には、高圧機器の近傍での作業となるため危険を伴うが、本発明によれば電柱の中空部に（電柱の中に）給電線を敷設するため、危険な作業を回避できる。
【００１５】
請求項５に記載の発明によれば、配電盤が電柱本体に予め配設されているため、電柱本体に基地局設備の無線機などを配設する場合に、配電盤と無線機などを接続するだけで、柱上変圧器から配電盤を介して電力を無線機などに供給することができる。このため、本電柱を地盤に設置した後においても、無線機などを容易に増設することが可能となる。
【発明を実施するための最良の形態】
【００１６】
以下、この発明を図示の実施の形態に基づいて説明する。
【００１７】
（実施の形態１）
図１は、この実施の形態に係る増設対応型電柱１を示す正面図である。この増設対応型電柱１は、地盤Ｇに設置される前に予め、電柱本体１１と、アースボックス１２と、アース線１３とを備えている。
【００１８】
電柱本体１１は、コンクリート製の中空型（筒型）で、図２に示すように、軸方向に沿った中空部１１ａを有している。また、地盤Ｇに設置された際に地上側に位置する地上部１１ｂの側壁で、アースボックス１２の配設位置には、中空部１１ａと連通する第１の挿入孔（貫通孔、第２の貫通孔）１１ｃが形成されている。この貫通孔１１ｃの大きさは、アース線１３および後述する給電線１６を挿入できるように設定されている。ここで、アースボックス１２の配設位置（第１の挿入孔１１ｃの形成位置）は、後述する無線機１４などの増設設備・機器が配設可能な位置範囲に設定されている。
【００１９】
この電柱本体１１の上端部には、後述するアンテナ１５を取り付けるための取付スペース１１ｄが確保されている。つまり、取付スペース１１ｄには、他の設備・機器が配設されないようになっている。さらに、中空部１１ａが電柱本体１１の上端まで達することで、上開口部（第３の貫通孔）１１ｅが形成されている。この上開口部１１ｅには、キャップ（図示せず）が取り付けられている。また、地盤Ｇに設置された際に地中側に位置する地中埋設部１１ｆの側壁には、中空部１１ａと連通する第２の挿入孔１１ｇが形成されている。
【００２０】
アースボックス１２は、図３に示すように、箱型の本体ケース１２ａの底板に、電柱本体１１の第１の挿入孔１１ｃと同径の挿入窓１２ｂが形成され、この挿入窓１２ｂと第１の挿入孔１１ｃとが同心になるように、アースボックス１２が電柱本体１１に取り付けられている。このアースボックス１２の本体ケース１２ａには、アース線１３を接続するアース端子１２ｃと、このアース端子１２ｃに電気的に接続されている機器端子１２ｄとが配設されている。さらに、本体ケース１２ａの上壁には、ケーブル孔１２ｅが形成され、後述する給電線１６や無線機アース線１４ａなどを挿入できるようになっている。このケーブル孔１２ｅには、キャップ（図示せず）が取り付けられ、また、本体ケース１２ａと蓋１２ｆとの間には、シール部材（図示せず）が配設され、水密性が確保されている。
【００２１】
アース線１３は、電柱本体１１の中空部１１ａ内に軸方向に沿って配設され、その下端部１３ａが電柱本体の地中埋設部１１ｆにまで達している。すなわち、第２の挿入孔１１ｇを通って電柱本体１１外に出て、電柱本体１１から所定距離だけ離しても、アース線１３の下端が地中埋設部１１ｆの下端と同程度に位置するように、長さ（深さ）が設定されている。一方、アース線１３の上端部１３ｂは、電柱本体１１の第１の挿入孔１１ｃおよびアースボックス１２の挿入窓１２ｂを通って、アースボックス１２のアース端子１２ｃに接続されている。
【００２２】
次に、このような構成の増設対応型電柱１の作用などについて説明する。
【００２３】
まず、増設対応型電柱１を地盤Ｇに設置する。すなわち、地盤Ｇに埋設穴を掘削して、電柱本体１１の地中埋設部１１ｆを地中に埋設するとともに、アース線１３の下端部１３ａに銅板などを取り付けて、下端部１３ａと銅板などとを地中に埋設する。これにより、アース線１３が接地される。次に、増設対応型電柱１に柱上変圧器（柱上トランス）などの設備・機器を配設するとともに、配電線や引込線などを配設することで、設置が完了する。
【００２４】
このようにして増設対応型電柱１を設置した後に、例えば、携帯電話通信などの基地局設備を増設するには、次のようにすればよい。まず、図４に示すように、基地局設備の無線機１４をアースボックス１２の上側近傍に取り付ける。続いて、アースボックス１２のケーブル孔１２ｅのキャップを外し、図５に示すように、無線機１４の無線機アース線１４ａをアースボックス１２内にケーブル孔１２ｅを介して位置させ、無線機アース線１４ａを機器端子１２ｄに接続する。これにより、無線機１４が、アース端子１２ｃおよびアース線１３を介して接地される。
【００２５】
次に、基地局設備のアンテナ１５を電柱本体１１の取付スペース１１ｄに取り付ける。ここで、図４では、アンテナ１５がリング状の基部１５ａを有し、この基部１５ａを取付スペース１１ｄに装着することでアンテナ１５が取り付けられる場合について図示しているが、その他の形状のアンテナであってもよい。そして、電柱本体１１の中空部１１ａ内に給電線１６を配設し、その下端部１６ａを、電柱本体１１の第１の挿入孔１１ｃおよびアースボックス１２の挿入窓１２ｂを通して、アースボックス１２内に位置させる。さらに、ケーブル孔１２ｅを通して給電線１６の下端部１６ａを無線機１４に接続する。ここで、電柱本体１１の中空部１１ａ内に、予め針金などの予備線を配設しておくことで、給電線１６の配設を容易にするようにしてもよい。
【００２６】
一方、電柱本体１１の上開口部１１ｅのキャップを外し、図４に示すように、給電線１６の上端部１６ｂを上開口部１１ｅから電柱本体１１外に引き出して、アンテナ１５に接続する。これにより、無線機１４とアンテナ１５とが、給電線１６を介して通信可能に接続される。そして、柱上変圧器と無線機１４とを接続して、柱上変圧器から無線機１４に給電することで、基地局設備の増設が完了する。
【００２７】
以上のように、この増設対応型電柱１によれば、電柱本体１１の地中埋設部１１ｆを地中に埋設する際に、アース線１３も接地できる。そして、本増設対応型電柱１を設置した後に基地局設備を増設したい場合には、無線機１４の無線機アース線１４ａをアースボックス１２の機器端子１２ｄに接続するだけで、無線機１４を容易に接地できる。すなわち、従来のように、既設の電柱に対して、アース線を挿入した細長いパイプなどを電柱に沿って配設したり、埋設穴を新たに掘削してアース線の下端部を地中に埋設したりする必要がない。
【００２８】
また、電柱本体１１の上端部に取付スペース１１ｄが確保されているため、従来のように、アンテナを取り付けるためのアームなどを電柱に取り付けるなどして取付スペースを確保する必要がない。さらに、予め電柱本体１１に、第１の挿入孔１１ｃと上開口部１１ｅとが形成されているため、無線機１４とアンテナ１５とを給電線１６で接続する際に、従来のように電柱に防護用の管を取り付けて給電線を敷設する必要がない。
【００２９】
以上の結果、本増設対応型電柱１を地盤Ｇに設置した後においても、無線機１４およびアンテナ１５を容易に増設することが可能となる。このような効果は、既設の増設対応型電柱１に基地局設備を増設する場合のみならず、例えば、既設の従来型の電柱と電柱との間に本増設対応型電柱１を設置して、基地局設備を設置する場合にも発揮されるものである。すなわち、既設の電柱と電柱との間に新たな電柱を設置するとともに基地局設備を設置したい場合に、既設の電柱と電柱との間に本増設対応型電柱１を設置することで、基地局設備を容易に設置することが可能となる。
【００３０】
さらに、アース線１３が電柱本体１１の中空部１１ａ内に配設されているため、アース線１３が電柱本体１１の側壁外に露出せず、電柱本体１１に設備・機器を容易、かつ整然と配設することが可能となる。また、アース線１１が露出しないため、アース線１１の損傷を抑制できる。
【００３１】
（実施の形態２）
図６は、この実施の形態に係る増設対応型電柱２を示す一部拡大図であり、実施の形態１と同等の構成については、同一符号を付すことで、その説明を省略する。この増設対応型電柱２は、地盤Ｇに設置される前に予め、電柱本体１１と、分電盤（配電盤）２２と、アース線１３とを備えている。
【００３２】
分電盤２２は、電柱本体１１に取り付けられる柱上変圧器から電力を受電して外部機器（外部）に配電するものである。この分電盤２２の箱型の本体ケース２２ａの底板には、電柱本体１１の第１の挿入孔１１ｃと同径の挿入窓２２ｂが形成され、この挿入窓２２ｂと第１の挿入孔１１ｃとが同心になるように、分電盤２２が電柱本体１１に取り付けられている。また、本体ケース２２ａには、アース線１３を接続するアース端子２２ｃと、このアース端子２２ｃに電気的に接続されている機器端子２２ｄとが配設され、アース端子２２ｃには、実施の形態１と同様にして、アース線１３の上端部１３ｂが接続されている。このようにして、分電盤２２は、実施の形態１におけるアースボックス１２の機能を兼ね備えている。
【００３３】
さらに、分電盤２２の本体ケース２２ａには、受電端子２２ｅと、この受電端子２２ｅに電気的に接続されている複数の分岐回路の給電端子２２ｆとが配設されている。一方、本体ケース１２ａの受電端子２２ｅ側の壁（上壁）と、給電端子２２ｆ側の壁（下壁）とには、ケーブル孔（図示せず）が形成され、後述する引込線（電源線）１７や電源線１４ｂなどを挿入できるようになっている。ここで、分電盤２２に、必要に応じて、ブレーカや変圧器を備えるようにしてもよい。また、本体ケース２２ａと蓋２２ｇとの間には、シール部材が配設され、水密性が確保されている。
【００３４】
次に、このような構成の増設対応型電柱２の作用などについて説明する。
【００３５】
まず、実施の形態１と同様にして、増設対応型電柱２を地盤Ｇに設置し、アース線１３を接地させる。次に、増設対応型電柱２に柱上変圧器などの設備・機器を配設するとともに、配電線や引込線などを配設することで、設置が完了する。
【００３６】
このようにして増設対応型電柱２を設置した後に基地局設備を増設するには、次のようにすればよい。まず、図７に示すように、基地局設備の無線機１４を分電盤２２の下側近傍に取り付ける。続いて、無線機１４の無線機アース線１４ａを分電盤２２内にケーブル孔を介して位置させ、無線機アース線１４ａを機器端子２２ｄに接続する。これにより、無線機１４が、アース端子２２ｃおよびアース線１３を介して接地される。
【００３７】
次に、実施の形態１と同様にして、基地局設備のアンテナ１５を電柱本体１１の取付スペース１１ｄに取り付け、給電線１６によって無線機１４とアンテナ１５とを接続する。続いて、柱上変圧器に接続された引込線１７を、ケーブル孔を介して分電盤２２の受電端子２２ｅに接続し、無線機１４からの電源線１４ｂを、ケーブル孔を介して分電盤２２の給電端子２２ｆに接続する。これにより、柱上変圧器と無線機１４とが分電盤２２を介して接続され、柱上変圧器から無線機１４に電力が供給可能な状態となる。
【００３８】
以上のように、この増設対応型電柱２によれば、分電盤２２が電柱本体１１に予め配設されているため、電柱本体１１に基地局設備の無線機１４を配設する場合に、柱上変圧器の引込線１７を受電端子２２ｅに接続し、無線機１４の電源線１４ｂを給電端子２２ｆに接続するだけで、柱上変圧器から無線機１４に電力が供給可能な状態となる。このため、本増設対応型電柱２を地盤Ｇに設置した後においても、より容易に無線機１４（基地局設備）を増設することが可能となる。
【００３９】
以上、この発明の実施の形態１、２について説明したが、具体的な構成は、これらの実施の形態に限られるものではなく、この発明の要旨を逸脱しない範囲の設計の変更等があっても、この発明に含まれる。例えば、実施の形態１では、アースボックス１２が、第１の挿入孔（貫通孔）１１ｃの近傍として、第１の挿入孔１１ｃと挿入窓１２ｂとが同心になるように配設されているが、無線機１４の配設位置などに応じて、次のようにしてもよい。すなわち、挿入窓１２ｂを設けずに、アースボックス１２を第１の挿入孔１１ｃからずらした近傍に配設し、第１の挿入孔１１ｃから引き出したアース線１３の上端部１３ｂを、アースボックス１２の表面開口からアース端子１２ｃに接続してもよい。
【００４０】
また、実施の形態１では、第１の挿入孔１１ｃが貫通孔と第２の貫通孔とを兼ねているが、無線機１４の配設位置や大きさなどに応じて、アース線１３を挿入する貫通孔と、給電線１６を挿入する第２の貫通孔とを別個に設けるようにしてもよい。さらに、電柱本体１１の中空部１１ａが上端まで達することで、上開口部１１ｅが第３の貫通孔として形成されているが、電柱本体１１の形状やアンテナ１５の取付方法などに応じて、電柱本体１１の上端部の側壁に中空部１１ａと連通する第３の貫通孔を形成してもよい。また、基地局設備を増設する場合について説明したが、基地局設備以外の設備・機器を増設する場合にも適用できることは勿論である。
【００４１】
さらに、実施の形態２における給電端子２２ｆの代わりに、コンセントを設けてもよく、また、アースの機器端子２２ｄと給電端子２２ｆとの代わりに、アース付きコンセントを設けてもよい。これにより、電源側に影響を与えることなく、容易に無線機１４を配設することができる。しかも、分電盤２２を施錠式とすることで、無断工事や盗電などを防止し、電柱２の所有者が、分電盤２２の鍵を無線機設置者に渡すことで、設置工事をより円滑に行うことが可能となる。
【図面の簡単な説明】
【００４２】
【図１】この発明の実施の形態１に係る増設対応型電柱を示す正面図である。
【図２】図１の増設対応型電柱の電柱本体の上部拡大図である。
【図３】図１の増設対応型電柱のアースボックスを開けた状態を示す正面図である。
【図４】図１の増設対応型電柱に基地局設備の無線機とアンテナとを増設した状態を示す上部正面図である。
【図５】図１の増設対応型電柱のアースボックスを開けて、基地局設備の無線機を増設した状態を示す正面図である。
【図６】この発明の実施の形態２に係る増設対応型電柱を示し、分電盤を開けた状態を示す正面図である。
【図７】図６の増設対応型電柱の分電盤を開けて、基地局設備の無線機を増設した状態を示す正面図である。
【符号の説明】
【００４３】
１、２      増設対応型電柱
１１        電柱本体
１１ａ      中空部
１１ｂ      地上部
１１ｃ      第１の挿入孔（貫通孔、第２の貫通孔）
１１ｄ      取付スペース
１１ｅ      上開口部（第３の貫通孔）
１１ｆ      地中埋設部
１１ｇ      第２の挿入孔
１２        アースボックス
１２ａ      本体ケース
１２ｂ      挿入窓
１２ｃ      アース端子
１２ｄ      機器端子
１２ｅ      ケーブル孔
１３        アース線
１３ａ      下端部
１３ｂ      上端部
１４        無線機
１４ａ      無線機アース線
１４ｂ      電源線
１５        アンテナ
１６        給電線
１７        引込線
２２        分電盤（配電盤、アースボックス）
２２ａ      本体ケース
２２ｂ      挿入窓
２２ｃ      アース端子
２２ｄ      機器端子
２２ｅ      受電端子
２２ｆ      給電端子
Ｇ          地盤
【図１】
2008177073.tif 000003
【図２】
2008177073.tif 000004
【図３】
2008177073.tif 000005
【図４】
2008177073.tif 000006
【図５】
2008177073.tif 000007
【図６】
2008177073.tif 000008
【図７】
2008177073.tif 000009